(57)【要約】      （修正有）【課題】人の音声に基づいて生成された音声データを照合して、端末に認証情報を供給する情報供給装置及びプログラムを提供する。【解決手段】取得部１１１は、各端末において収集された人の音声に基づいて生成された音声データを取得する。照合部１１２は、取得部１１１が取得した各音声データを照合する。照合部１１２により、取得部１１１が取得した音声データは、ＳＳＩＤと対応付けられて照合データベース１２１に記憶される。取得部１１１が新たに音声データを取得すると、照合部１１２は、新たに取得した音声データと、過去に取得して照合データベース１２１に記憶された音声データとを照合する。生成部１１３は、照合部１１２による照合の結果が決められた基準を満たす場合に、照合された音声データを送信した複数の端末に対して、それらが互いに接続するための認証情報を生成する。供給部１１４は、生成部１１３が生成した認証情報を各端末に供給する。【選択図】図５
2016201065.tif 000002
【特許請求の範囲】
【請求項１】
認証情報を用いてアクセスポイントを介さずに互いに接続する複数の端末のそれぞれと、接続する情報供給装置であって、
前記各端末において収集された人の音声に基づいて該各端末がそれぞれ生成した音声データを、該各端末から取得する取得部と、
取得した各音声データを照合する照合部と、
前記照合部による照合の結果が決められた基準を満たす場合に、該各音声データを送信した各端末にそれぞれ前記認証情報を供給する供給部と、
を有することを特徴とする情報供給装置。
【請求項２】
前記取得部は、前記各端末が前記音声を収集した状況を示す情報を、前記音声データとともに取得し、
前記供給部は、取得した前記情報によって示される状況に応じて決まる前記基準を前記結果が満たす場合に、前記認証情報を供給する
ことを特徴とする請求項１に記載の情報供給装置。
【請求項３】
前記状況を示す情報には、前記音声を収集したときの前記端末の位置を示す情報が含まれ、
前記基準は、前記情報によって示される前記端末の位置が決められた範囲内にある場合に、該端末の位置が該範囲内にない場合に比べて緩和される
ことを特徴とする請求項２に記載の情報供給装置。
【請求項４】
前記状況を示す情報には、前記音声を収集した時刻を示す情報が含まれ、
前記基準は、前記情報によって示される前記時刻が決められた範囲内にある場合に、該時刻が該範囲内にない場合に比べて緩和される
ことを特徴とする請求項２に記載の情報供給装置。
【請求項５】
前記取得部が第１端末から取得した第１音声データを記憶する記憶部を有し、
前記照合部は、前記記憶部が前記第１音声データを記憶した後、前記取得部が前記第１端末と異なる第２端末から第２音声データを取得した場合に、該第１音声データと該第２音声データとを照合する
ことを特徴とする請求項１から３のいずれか１項に記載の情報供給装置。
【請求項６】
前記基準は、前記音声データが長いほど緩和される
ことを特徴とする請求項１から５のいずれか１項に記載の情報供給装置。
【請求項７】
前記取得部は、収集された前記音声が示す語句を前記音声データとして取得し、
前記基準は、前記語句が所定のデータベースに記憶されていない場合に、該語句が該データベースに記憶されているときと比べて緩和される
ことを特徴とする請求項１から５のいずれか１項に記載の情報供給装置。
【請求項８】
前記取得部は、複数の前記端末のうちのいずれか一の端末から、該端末において受付けた操作に応じて該端末が生成した操作データを、前記音声データに代えて取得し、
前記照合部は、前記一の端末から前記取得部が取得した前記操作データと、前記一の端末とは異なる端末から前記取得部が取得した前記音声データとを照合する
ことを特徴とする請求項１から７のいずれか１項に記載の情報供給装置。
【請求項９】
認証情報を用いてアクセスポイントを介さずに互いに接続する複数の端末のそれぞれと、接続するコンピュータを、
前記各端末において収集された人の音声に基づいて該各端末がそれぞれ生成した音声データを、該各端末から取得する取得部と、
取得した各音声データを照合する照合部と、
前記照合部による照合の結果が決められた基準を満たす場合に、該各音声データを送信した各端末にそれぞれ前記認証情報を供給する供給部
として機能させるためのプログラム。
【発明の詳細な説明】
【技術分野】
【０００１】
本発明は、複数の端末がアクセスポイントを介さずに互いに接続するための認証情報を、それらの各端末に供給する情報供給装置、およびプログラムに関するものである。
【背景技術】
【０００２】
無線ＬＡＮ（Local Area Network）には、複数の端末がアクセスポイントを介さずに互いに接続するアドホック・モードという動作モードが定められている。アドホック・モードを用いて複数の端末が相互に接続する場合、一般に、無線ＬＡＮにおけるネットワークの識別子（ＳＳＩＤ（Service Set Identifier）など）と、暗号化方式の種類と、暗号化に用いるセキュリティキーとの組合せを、各端末に入力する必要がある。また、無線ＬＡＮのアドホック・モード以外にも、例えばBluetooth（登録商標）など、機器同士が相互に接続する様々な規格があるが、これらが安全に接続するためには、一般的に、認証や暗号化などに用いる情報を少なくとも一方の端末に入力する必要がある。
これらの入力の代わりに、加速度センサによって端末の動きを検出して、相互認証を行う仕組みも検討されている。
【０００３】
特許文献１には、周辺の環境音を音声データとして収集して、音声データの周波数成分を解析して生成した特徴ベクトルが一致する場合に認証鍵を生成する相互認証システムが記載されている。
【先行技術文献】
【特許文献】
【０００４】
【特許文献１】特開２０１４−１３８４０４号公報
【発明の概要】
【発明が解決しようとする課題】
【０００５】
しかし、特許文献１に記載の技術では、環境音の一致を以って認証を行うため、環境音を収集する時点での各端末の位置や時刻が一致することが必要である。また、加速度センサを搭載していない端末や、動かすことが困難な端末も存在する。
【０００６】
本発明の目的は、人の音声に基づいて生成された音声データを照合して、端末に認証情報を供給することにある。
【課題を解決するための手段】
【０００７】
上述した課題を解決するため、本発明に係る情報供給装置は、認証情報を用いてアクセスポイントを介さずに互いに接続する複数の端末のそれぞれと、接続する情報供給装置であって、前記各端末において収集された人の音声に基づいて該各端末がそれぞれ生成した音声データを、該各端末から取得する取得部と、取得した各音声データを照合する照合部と、前記照合部による照合の結果が決められた基準を満たす場合に、該各音声データを送信した各端末にそれぞれ前記認証情報を供給する供給部と、を有することを特徴とする。
【０００８】
好ましくは、前記取得部は、前記各端末が前記音声を収集した状況を示す情報を、前記音声データとともに取得し、前記供給部は、取得した前記情報によって示される状況に応じて決まる前記基準を前記結果が満たす場合に、前記認証情報を供給するとよい。
【０００９】
また、好ましくは、前記状況を示す情報には、前記音声を収集したときの前記端末の位置を示す情報が含まれ、前記基準は、前記情報によって示される前記端末の位置が決められた範囲内にある場合に、該端末の位置が該範囲内にない場合に比べて緩和されるとよい。
【００１０】
また、好ましくは、前記状況を示す情報には、前記音声を収集した時刻を示す情報が含まれ、前記基準は、前記情報によって示される前記時刻が決められた範囲内にある場合に、該時刻が該範囲内にない場合に比べて緩和されるとよい。
【００１１】
また、好ましくは、前記取得部が第１端末から取得した第１音声データを記憶する記憶部を有し、前記照合部は、前記記憶部が前記第１音声データを記憶した後、前記取得部が前記第１端末と異なる第２端末から第２音声データを取得した場合に、該第１音声データと該第２音声データとを照合するとよい。
【００１２】
また、好ましくは、前記基準は、前記音声データが長いほど緩和されるとよい。
【００１３】
また、好ましくは、前記取得部は、収集された前記音声が示す語句を前記音声データとして取得し、前記基準は、前記語句が所定のデータベースに記憶されていない場合に、該語句が該データベースに記憶されているときと比べて緩和されるとよい。
【００１４】
また、好ましくは、前記取得部は、複数の前記端末のうちのいずれか一の端末から、該端末において受付けた操作に応じて該端末が生成した操作データを、前記音声データに代えて取得し、前記照合部は、前記一の端末から前記取得部が取得した前記操作データと、前記一の端末とは異なる端末から前記取得部が取得した前記音声データとを照合するとよい。
【００１５】
また、本発明に係るプログラムは、認証情報を用いてアクセスポイントを介さずに互いに接続する複数の端末のそれぞれと、接続するコンピュータを、前記各端末において収集された人の音声に基づいて該各端末がそれぞれ生成した音声データを、該各端末から取得する取得部と、取得した各音声データを照合する照合部と、前記照合部による照合の結果が決められた基準を満たす場合に、該各音声データを送信した各端末にそれぞれ前記認証情報を供給する供給部として機能させるためのプログラムである。
【発明の効果】
【００１６】
本発明によれば、人の音声に基づいて生成された音声データを照合して、端末に認証情報を供給することができる。
【図面の簡単な説明】
【００１７】
【図１】本発明の実施形態に係る情報供給システムの全体構成を示す図。
【図２】端末の構成を示す図。
【図３】情報供給装置の構成を示す図。
【図４】照合データベースの一例を示す図。
【図５】情報供給装置の機能的構成を示す図。
【図６】情報供給システムの各構成の動作を示すシーケンス図。
【発明を実施するための形態】
【００１８】
１．実施形態
１−１．情報供給システムの全体構成
図１は、本発明の実施形態に係る情報供給システム９の全体構成を示す図である。情報供給システム９は、情報供給装置１、および複数の端末２を有する。情報供給装置１と端末２は、通信回線３により互いに接続して通信可能となっている。なお、情報供給装置１は複数存在していてもよい。また、図１において端末２は２つであるが、３つ以上であってもよい。
【００１９】
端末２は、無線によりアクセスポイントを介さずに互いに接続する機能を有していれば、どのような機器であってもよく、例えばスマートフォン、フィーチャーフォン、携帯音楽プレーヤー、スマートウォッチ、ヘッドマウントディスプレイといった各種ウェアラブル端末などであってもよい。また、端末２は利用者によって携帯されるものに限らず、例えば家電製品やロボットなどであってもよい。端末２は、例えばＩＥＥＥ８０２．１１などで定められる無線通信により通信回線３を介して、情報供給装置１と情報の遣り取りをする。
【００２０】
通信回線３は、ＬＡＮ、ＷＡＮ（Wide Area Network）、インターネット、電話回線など、無線・有線を問わず、コンピュータ装置がデータ通信を行う通信回線であり、複数の端末およびコンピュータ装置が接続される。通信回線３には、端末２が接続するためのアクセスポイントが含まれている。なお、通信回線３で用いられる通信プロトコルは、情報供給装置１および複数の端末２を接続するものであれば、どのようなものであってもよい。
【００２１】
情報供給装置１は、通信回線３により端末２と通信可能に接続しているコンピュータ装置であり、決められた基準を満たした場合に、認証情報を各端末２に向けて供給する装置である。
【００２２】
１−２．端末の構成
図２は、端末２の構成を示す図である。制御部２１は、端末２の各部の動作を制御する。制御部２１は、ＣＰＵ（Central Processing Unit）などの演算処理装置や、ＲＯＭ（Read Only Memory）、ＲＡＭ（Random Access Memory）などの記憶装置を備え、これら記憶装置に記憶されたプログラムを実行する。
【００２３】
記憶部２２はソリッドステートドライブなどの記憶手段であり、制御部２１に読み込まれるプログラムを記憶する。なお、記憶部２２は、メモリカードなど着脱可能な記録媒体を含んでもよい。また、記憶部２２は、アクセスポイントを介さずに他の端末２と接続するときに用いる認証情報２２１を所定の条件下で記憶する。
【００２４】
通信部２３は、通信回線３を介して情報供給装置１との間で情報を通信するインターフェイスであり、例えば無線通信回路などである。
【００２５】
表示部２４は、液晶などを使用したディスプレイ装置であり、制御部２１からの指示に応じて画像を表示する。
【００２６】
操作部２５は指示を入力するための構成として、例えばボタンやタッチパネルなどを備えており、利用者による操作を受付けてその操作内容に応じた信号を制御部２１に供給する。なお、操作部２５は、ジャイロセンサや加速度センサなどを有していてもよく、これらのセンサが検知する端末２の姿勢や運動などで示される操作内容に応じた信号を制御部２１に供給してもよい。
【００２７】
収集部２０は、周囲の音を収集するマイクロフォンなどの機器である。収集部２０は、利用者の発する音声を収集するために用いられる。収集部２０により収集された音声は、制御部２１によって音声認識処理される。この音声認識処理により制御部２１は、例えば、収集された音声から、その音声に含まれる語句を示す音声データを生成する。端末２の制御部２１により生成された音声データは、その端末２で決められたＳＳＩＤと対応付けられて、通信回線３におけるアクセスポイントを介して情報供給装置１に送信される。
【００２８】
なお、音声データは語句を示すデータでなくてもよく、音声の波形そのものを示すデータであってもよい。この場合、音声データを受信した情報供給装置１において、音声認識処理が行われてもよい。
【００２９】
１−３．情報供給装置の構成
図３は、情報供給装置１の構成を示す図である。制御部１１は、情報供給装置１の各部の動作を制御する。制御部１１は、ＣＰＵなどの演算処理装置や、ＲＯＭ、ＲＡＭなどの記憶装置を備え、これら記憶装置に記憶されたプログラムを実行する。
通信部１３は、通信回線３で用いられる通信プロトコルに準拠した通信インターフェイスである。
【００３０】
記憶部１２はハードディスクドライブなどの記憶手段であり、制御部１１に読み込まれるプログラムを記憶する。なお、記憶部１２は、いわゆるリムーバブルディスク、すなわち着脱可能な記録媒体を含んでもよい。また、記憶部１２は、照合データベース（以下、図において「データベース」を「ＤＢ」と表記する）１２１を記憶する。
【００３１】
図４は、照合データベース１２１の一例を示す図である。照合データベース１２１には、無線ＬＡＮにおけるネットワークの識別子として「ＳＳＩＤ」と、そのＳＳＩＤと対応付けられて端末２から送信される「音声データ」とを記憶するフィールドが設けられている。この照合データベース１２１により情報供給装置１は、通信回線３を介して端末２から取得した音声データをその端末２のネットワークの識別子と対応付けて記憶する。
【００３２】
１−４．情報供給装置の機能的構成
図５は、情報供給装置１の機能的構成を示す図である。情報供給装置１の制御部１１は、記憶部１２などに記憶されたプログラムを読み込むことにより取得部１１１、照合部１１２、生成部１１３、および供給部１１４として機能する。
【００３３】
取得部１１１は、各端末２において収集された人の音声に基づいて、各端末２がそれぞれ生成した音声データを、それら各端末２から取得する。照合部１１２は、取得部１１１が取得した各音声データを照合する。照合部１１２により、取得部１１１が取得した音声データは、ＳＳＩＤと対応付けられて照合データベース１２１に記憶される。そして、取得部１１１が新たに音声データを取得すると、照合部１１２は、新たに取得したその音声データと、過去に取得して照合データベース１２１に記憶された音声データとを照合する。
【００３４】
生成部１１３は、照合部１１２による照合の結果が決められた基準を満たす場合に、照合された音声データを送信した複数の端末２に対して、それらが互いに接続するための認証情報を生成する。
【００３５】
供給部１１４は、生成部１１３が生成した認証情報を、上述した各端末２に供給する。すなわち、供給部１１４は、照合部１１２による照合の結果が決められた基準を満たす場合に、それらの各音声データを送信した各端末２にそれぞれ認証情報を供給する。
【００３６】
１−５．情報供給システムの動作
図６は、情報供給システム９の各構成の動作を示すシーケンス図である。以下、２つの端末２ａ、２ｂと、情報供給装置１と、を有する情報供給システム９を例に説明する。端末２ａと端末２ｂとを区別しない場合には、これらを総称して「端末２」と表記する。
【００３７】
端末２において、利用者が操作部２５を操作して、記憶部２２に記憶されたアプリケーションプログラム（以下、アプリという）を起動する指示をすると、操作部２５は、この操作を受付けてその指示を示す信号を制御部２１に送る。制御部２１は、この指示を受取ると、指定されたアプリを起動する（ステップＳ１０１ａ、Ｓ１０１ｂ）。
【００３８】
利用者が、端末２の操作部２５を操作すると、端末２の収集部２０が周囲の音の収集を開始する。ここで利用者が収集部２０に向けて、決められた語句を含む音声を発すると、この音声は収集されて、音響信号として制御部２１に送られる（ステップＳ１０２ａ、Ｓ１０２ｂ）。制御部２１は、この音響信号に対して、例えば、隠れマルコフモデルに基づく手法などにより音声認識処理を行い、その音声に含まれる自然言語における「語句」を特定して、特定したその語句を示す音声データを生成する（ステップＳ１０３ａ、Ｓ１０３ｂ）。そして、端末２は、生成した音声データを、予め決められたＳＳＩＤと対応付けて通信回線３経由で情報供給装置１に送信する（ステップＳ１０４ａ、Ｓ１０４ｂ）。
【００３９】
情報供給装置１は、端末２から送信されたＳＳＩＤと音声データとの組を取得して（ステップＳ１０５）、記憶部１２の照合データベース１２１に記憶する。また、情報供給装置１は、接続を求める他の端末２から新たにＳＳＩＤと音声データとの組を取得すると、取得したその組と、照合データベース１２１に記憶されている組とを照合する（ステップＳ１０６）。例えば、情報供給装置１は、端末２ａから取得した第１音声データを記憶した後、端末２ａと異なる端末２ｂから第２音声データを取得した場合に、この第１音声データと第２音声データとを照合する。
【００４０】
照合の結果が決められた基準を満たす場合、情報供給装置１は、照合された各音声データを送信した各端末２にそれぞれ認証情報を供給する（ステップＳ１０７ａ、Ｓ１０７ｂ）。認証情報を受取った端末２ａおよび端末２ｂは、その認証情報をそれぞれ用いて、互いにアクセスポイントを介することなく、接続する（ステップＳ１０８）。
【００４１】
この構成により、情報供給装置１は、複数の端末２において、それぞれ収集された人の音声に基づき生成された音声データを照合して、それらの各端末２に認証情報を供給することができる。この構成によれば、同じ人の音声や、同時に収集された音声に基づいて生成された音声データでなくとも、照合の結果が基準を満たせば、これらの端末２がアドホック・モードで接続される場合がある。したがって、この構成によると、相互認証のため環境音などを同時に収集することを前提とする端末に比べて、接続のために必要な操作や条件が限定されず、利用者の利便性が向上する。
【００４２】
２．変形例
以上が実施形態の説明であるが、この実施形態の内容は以下のように変形し得る。また、以下の変形例を組合せてもよい。
【００４３】
２−１．変形例１
上述した実施形態において、取得部１１１は、各端末２において収集された人の音声に基づいて、各端末２がそれぞれ生成した音声データを、それら各端末２から取得していたが、この音声データとともに、これらの各端末２が音声を収集した状況を示す情報を取得してもよい。
【００４４】
この場合、供給部１１４は、取得部１１１が取得した情報によって示される状況に応じて決まる基準を、照合部１１２による照合の結果が満たす場合に、認証情報を供給するように構成されていてもよい。
【００４５】
この構成によれば、それぞれの端末２において音声を収集したときの状況に応じて、照合の判断基準を変化させることができるため、例えば、アドホック・モードで相互に接続しようとする２つの端末２の、音声収集時における状況が近い場合には、上記の判断基準を緩和させることができる。
【００４６】
２−２．変形例２
変形例１における「状況を示す情報」には、前記音声を収集したときの前記各端末の位置を示す情報が含まれていてもよい。この場合、端末２は、例えば、図２に破線で示す測位部２６を有していてもよい。
【００４７】
測位部２６は、ＧＮＮＳ（Global Navigation Satellite System）などの衛星測位システムを用いて端末２の位置を特定するデバイスである。測位部２６は、自端末の位置を特定すると、その位置を示す情報を制御部２１に送る。制御部２１は、測位部２６から送られた位置を示す情報を、上述した「状況を示す情報」に含まれる情報として音声データとともに情報供給装置１へ送信すればよい。この場合、情報供給装置１の記憶部１２に記憶される照合データベース１２１は、ＳＳＩＤ、音声データに加えて、図４に破線で示す通り、位置を示す情報を記憶する。
【００４８】
情報供給装置１は、ＳＳＩＤ、音声データとともに各端末２の位置を示す情報を取得すると、これらの組を照合データベース１２１に記憶する。そして、情報供給装置１は、これらの各端末２から取得した音声データの照合結果と比較される基準を、これらの情報が示す各位置に応じて決定する。例えば、２つの端末２から取得した情報によりそれぞれ示される、各端末２の音声収集時の位置が、決められた範囲内にある場合、情報供給装置１は、これらの位置がこの範囲内にない場合に比べて、上記の基準を緩和する。
【００４９】
例えば、アドホック・モードで相互に接続しようとする２つの端末２が、半径１０メートル以内や、同じ部屋、共通のフロアなど、決められた範囲内に存在していない場合、情報供給装置１は、各端末２から取得した音声データによって示される語句が、連続する１０文字以上で一致することを、上述した基準として定めている。このとき、これら２つの端末２がこの範囲内に存在していると判断する場合に、情報供給装置１は、この基準を、例えば「５文字の一致」というように緩和すればよい。
【００５０】
この構成によれば、例えばアドホック・モードで相互に接続しようとする２つの端末２が、それぞれ音声を収集した時点で決められた範囲内にいる場合、音声データの照合の基準が緩和されるため、端末２同士の位置に応じて変化する通信の安全性を接続の条件に反映させることができる。
【００５１】
なお、位置を特定するのは衛星測位システムを用いたものに限られない。端末２は、例えば、無線通信回線の基地局を利用したり、標識信号を発信する、いわゆるビーコンを利用したりすることで、自身の位置を特定してもよい。
【００５２】
２−３．変形例３
変形例１における「状況を示す情報」には、前記音声を収集したときの時刻を示す情報が含まれていてもよい。この場合、端末２は、制御部２１が有する時計により時刻を示す情報を生成して音声データとともに情報供給装置１へ送信すればよい。この場合、情報供給装置１の記憶部１２に記憶される照合データベース１２１は、ＳＳＩＤ、音声データに加えて、図４に破線で示す通り、時刻を示す情報を記憶する。
【００５３】
情報供給装置１は、ＳＳＩＤ、音声データとともに、音声データによって示される音声を各端末２が収集した時刻を示す情報をそれぞれ取得すると、これらの組を照合データベース１２１に記憶する。そして、情報供給装置１は、これらの各端末２から取得した音声データの照合結果と比較される基準を、これらの情報が示す各時刻に応じて決定する。例えば、２つの端末２から取得した情報によりそれぞれ示される時刻が、決められた範囲内にある場合、情報供給装置１は、これらの時刻がこの範囲内にない場合に比べて、上記の基準を緩和する。
【００５４】
この構成によれば、例えばアドホック・モードで相互に接続しようとする２つの端末２の音声収集時刻が決められた範囲内であるときに、音声データの照合の基準が緩和されるため、端末２同士の音声収集のタイミングに応じて変化する通信の安全性を接続の条件に反映させることができる。
【００５５】
２−４．変形例４
音声データの照合の結果と比較される基準は、それらの音声データが長いほど緩和されるように決められてもよい。
【００５６】
例えば、情報供給装置１は、アドホック・モードで相互に接続しようとする２つの端末２から取得した音声データが、いずれも１０文字未満の語句を含むものであるとき、上記の基準として、全ての文字が一致することを定めているとする。この場合、情報供給装置１が各端末２から、２０文字以上の語句を含む音声データを取得すると、上記の基準を、例えば「連続する９文字以上が一致する」というように緩和してもよい。
【００５７】
この構成によれば、照合される音声データが長いほど照合の基準が緩和されるため、通信の安全性と、操作の容易性とが両立し易くなり、利用者の利便性が増す。
【００５８】
２−５．変形例５
また、音声データの照合の結果と比較される基準は、それらの音声データが希少であるほど緩和されるように決められてもよい。
【００５９】
例えば、情報供給装置１は、アドホック・モードで相互に接続しようとする２つの端末２から取得した音声データに含まれる語句が、予め語句を記憶した辞書などのデータベースに記憶されているか否か判断してもよい。そして、この音声データに含まれる語句が、上記のデータベースに記憶されていないと判断する場合、情報供給装置１は、これらの語句がこのデータベースに記憶されていると判断する場合に比べて、音声データの照合結果と比較する基準を緩和すればよい。
【００６０】
また、情報供給装置１は、上述した音声データに複数の語句が含まれている場合に、それら複数の語句のうち、上述したデータベースに記憶されている語句の数を特定してもよい。この場合、音声データに含まれる語句が上記のデータベースに多く記憶されているほど、音声データの照合結果と比較する基準を厳しくすればよい。すなわち、情報供給装置１は、取得した音声データに含まれる語句と一致する語句がデータベース中に少ないほど、上記の基準を緩和すればよい。
【００６１】
また、音声データを取得する度に、その音声データに含まれる語句を記憶して、それらの語句の頻度をデータベースに蓄積してもよい。この場合、情報供給装置１は、アドホック・モードで相互に接続しようとする２つの端末２から取得した音声データに含まれる語句の頻度を特定し、その頻度が低いときほど、音声データの照合結果と比較する基準を緩和すればよい。
【００６２】
この構成によれば、照合される音声データが希少であるほど照合の基準が緩和されるため、通信の安全性が向上する。
【００６３】
２−６．変形例６
上述した実施形態および変形例において、情報供給装置１は、端末２から取得した音声データ同士を照合していたが、音声データと、音声データ以外のデータとを照合してもよい。この場合、例えば情報供給装置１は、複数の端末２のうちいずれか一方から、その端末２において受付けた操作に応じて生成された操作データを、音声データに代えて取得してもよい。そして、情報供給装置１は、上述した一方の端末２から取得した操作データと、他方の端末２から取得した音声データとを照合すればよい。
【００６４】
この構成によれば、例えば、音声を収集する収集部２０を有しない端末２であっても、音声を収集した端末２と相互に接続することができ、利用者の利便性が高まる。
【００６５】
２−７．変形例７
上述した実施形態において、情報供給装置１は、端末２から送信されたＳＳＩＤと音声データとの組と、照合データベース１２１に既に記憶されている組とを照合していたが、照合する対象にＳＳＩＤは含まれなくてもよい。情報供給装置１は、上述した照合に、少なくとも一方の端末２から送信された音声データを用いていればよい。
【００６６】
例えば、端末２が他の端末２とアクセスポイントを介さずに接続しようとする場合、端末２は、他の端末２を識別するための識別情報と音声データとを情報供給装置１に送信する。情報供給装置１は、「他の端末２」の識別情報と、この「他の端末２」との接続を許可するか否かを決定するための音声データとを対応付けて照合データベース１２１に記憶している。情報供給装置１は、端末２から上述した送信を受けたときに、この送信された内容と、照合データベース１２１に記憶された内容とを照合すればよい。
【００６７】
なお、端末２を識別するための識別情報には、端末２に割当てられたＭＡＣ（Media Access Control）アドレスが用いられてもよいし、ＩＰ（Internet Protocol）アドレス、ＵＲＩ（Uniform Resource Identifier）などが用いられてもよい。また、端末２が携帯電話機である場合、端末２の識別情報は、ＩＭＥＩ（International Mobile Equipment Identity）や、ＩＭＳＩ（International Mobile Subscriber Identity）などであってもよい。また、端末２の識別情報は、ＵＵＩＤ（Universally Unique Identifier）やハッシュ値など、接続の際に生成される情報が用いられてもよいし、端末２の利用者を示すユーザ名など端末２に関連付けられた論理的な識別情報が用いられてもよい。
【００６８】
２−８．変形例８
本発明は、情報供給装置１による情報供給方法として観念される。また、情報供給装置１の制御部１１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で送信し得る。また、このプログラムを、インターネットのようなネットワーク経由でダウンロードさせることも可能である。なお、上記の制御部１１によって例示した制御手段としてはＣＰＵ以外にも種々の装置が適用される場合があり、例えば、専用のプロセッサなどが用いられる。
【符号の説明】
【００６９】
１…情報供給装置、１１…制御部、１１１…取得部、１１２…照合部、１１３…生成部、１１４…供給部、１２…記憶部、１２１…照合データベース、１３…通信部、２…端末、２０…収集部、２１…制御部、２２…記憶部、２２１…認証情報、２３…通信部、２４…表示部、２５…操作部、２６…測位部、３…通信回線、９…情報供給システム
【図１】
2016201065.tif 000003
【図２】
2016201065.tif 000004
【図３】
2016201065.tif 000005
【図４】
2016201065.tif 000006
【図５】
2016201065.tif 000007
【図６】
2016201065.tif 000008